【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
カメラレンズと、複数のマイクロレンズを含むレンズレットアレイと、複数の光センサを含む光センサアレイとを備えるプレノプティックカメラであって、
前記カメラレンズが、前記カメラレンズの開口紋り面に配置された空間光変調器を含み、
光センサグループが、各マイクロレンズと関連しており、前記空間光変調器のセルグループが、前記光センサグループの各光センサと関連しており、前記セルグループの数が、あるマイクロレンズと関連している前記グループの前記光センサの数と等しく、
前記プレノプティックカメラが、前記セルグループから出射する光量を制御するために、前記セルグループのセルを制御するように構成されたコントローラを更に備えることを特徴とするプレノプティックカメラ。
【請求項２】
前記空間光変調器が、液晶ディスプレイパネルである、請求項１に記載のプレノプティックカメラ。
【請求項３】
前記光量が、各セルグループに対して同じである、請求項１又は２に記載のプレノプティックカメラ。
【請求項４】
前記セルグループが、前記セルグループと関連している前記光センサの、前記開口紋り面上への投射をカバーする、請求項１〜３のいずれか一項に記載のプレノプティックカメラ。
【請求項５】
各セルが、第１の状態と第２の状態との間で切り替わるように構成され、前記第１の状態が、前記セルが光をブロックする状態に対応し、前記第２の状態が、前記セルが光に前記セルを通過させる状態に対応する、請求項１〜４のいずれか一項に記載のプレノプティックカメラ。
【請求項６】
前記セルグループにおける前記セルの少なくとも一部が、前記第１の状態である、請求項５に記載のプレノプティックカメラ。
【請求項７】
前記第１の状態である前記グループの前記セルの数が、前記開口紋り面における前記セルグループの位置に依存する、請求項６に記載のプレノプティックカメラ。
【請求項８】
前記空間光変調器の中心に近いセルグループにおける前記第１の状態の前記セルの数が、前記空間光変調器の周辺のセルグループにおける前記第１の状態の前記セルの数より大きい、請求項５〜７のいずれか一項に記載のプレノプティックカメラ。
【請求項９】
プレノプティックカメラの光センサアレイに達する光量を制御する方法であって、前記プレノプティックカメラが、カメラレンズ及びレンズレットアレイを含み、空間光変調器が、前記カメラレンズの開口紋り面に配置され、光センサグループが、各マイクロレンズと関連しており、前記空間光変調器のセルグループが、前記光センサグループの各光センサと関連しており、前記セルグループの数が、あるマイクロレンズと関連している前記グループの前記光センサの数と等しく、前記方法が、前記セルグループから出射する光量を制御するために、前記セルグループの前記セルを制御することを含むことを特徴とする方法。
【請求項１０】
前記セルの前記制御が、前記空間光変調器のセルの状態を制御することを含み、前記セルが、第１の状態と第２の状態との間で切り替わるように構成され、前記第１の状態が、セルが光をブロックする状態に対応し、前記第２の状態が、前記セルが光に前記セルを通過させる状態に対応する、請求項９に記載の方法。
【請求項１１】
前記セルグループにおける前記セルの少なくとも一部が、前記第１の状態である、請求項１０に記載の方法。
【請求項１２】
前記第１の状態である前記セルグループの前記セルの数が、前記開口紋り面における前記セルグループの位置に依存する、請求項１１に記載の方法。
【請求項１３】
前記空間光変調器の中心に対して閉じられたセルグループにおける前記第１の状態の前記セルの数が、前記空間光変調器の周辺におけるセルグループにおける前記第１の状態の前記セルの数より大きい、請求項１０〜１２のいずれか一項に記載の方法。
【請求項１４】
前記セルグループが、前記セルグループと関連している前記光センサの、前記開口紋り面上への投射をカバーする、請求項９〜１３のいずれか一項に記載の方法。
【請求項１５】
前記光量が、各セルグループに対して同じである、請求項９〜１４のいずれか一項に記載の方法。
【請求項１６】
プログラムがコンピュータ上で実行される場合に、請求項９〜１５のいずれか一項に記載の方法のステップを実行するためのプログラムコードの命令を含むコンピュータプログラム製品。
【手続補正２】
【補正対象書類名】明細書
【補正対象項目名】００６２
【補正方法】変更
【補正の内容】
【００６２】
多くの実装形態を説明した。しかしながら、様々な修正を行い得ることが理解されよう。例えば、相異なる実装形態の要素は、組み合わされるか、補足されるか、修正されるか、又は他の実装形態を生成するために除去されてもよい。加えて、当業者は、他の構造及びプロセスが、開示された構造及びプロセスの代わりに用いられてもよく、且つ結果としての実装形態が、開示された実装形態と少なくともほぼ同じ結果を達成するために、少なくともほぼ同じ方法で少なくともほぼ同じ機能を実行することを理解されよう。
上記実施形態の一部又は全部は、以下の付記のようにも記載されうるが、以下には限られない。
（付記１）
カメラレンズ（４０１）と、複数のマイクロレンズ（１１１〜１１ｎ）を含むレンズレットアレイ（１１）と、複数の光センサ（１３１〜１３ｍ）を含む光センサアレイ（１３）とを備えるプレノプティックカメラ（４）であって、
前記カメラレンズが、前記カメラレンズ（４０１）の開口紋り面に配置された空間光変調器（４０）を含み、
光センサグループ（５０１０）が、各マイクロレンズ（５０１）と関連しており、前記空間光変調器（４０）のセルグループ（７０３）が、前記光センサグループの各光センサと関連しており、前記セルグループの数が、あるマイクロレンズと関連している前記グループの前記光センサの数と等しく、
前記プレノプティックカメラが、前記セルグループから出射する光の強度を制御するために、前記セルグループのセルを制御するように構成されたコントローラを更に備えることを特徴とするプレノプティックカメラ（４）。
（付記２）
前記空間光変調器（４０）が、液晶ディスプレイパネルである、付記１に記載のプレノプティックカメラ。
（付記３）
前記光の強度が、各セルグループに対して同じである、付記１又は２に記載のプレノプティックカメラ。
（付記４）
前記セルグループが、前記セルグループと関連している前記光センサの、前記開口紋り面上への投射をカバーする、付記１〜３のいずれか一項に記載のプレノプティックカメラ。
（付記５）
各セルが、第１の状態と第２の状態との間で切り替わるように構成され、前記第１の状態が、前記セルが光をブロックする状態に対応し、前記第２の状態が、前記セルが光に前記セルを通過させる状態に対応する、付記１〜４のいずれか一項に記載のプレノプティックカメラ。
（付記６）
前記セルグループにおける前記セルの少なくとも一部が、前記第１の状態である、付記５に記載のプレノプティックカメラ。
（付記７）
前記第１の状態である前記グループの前記セルの数が、前記開口紋り面における前記セルグループの位置に依存する、付記６に記載のプレノプティックカメラ。
（付記８）
前記空間光変調器（４０１）の中心に近いセルグループにおける前記第１の状態の前記セルの数が、前記空間光変調器（４０１）の周辺のセルグループにおける前記第１の状態の前記セルの数より大きい、付記５〜７のいずれか一項に記載のプレノプティックカメラ。
（付記９）
プレノプティックカメラ（４）の光センサアレイ（１３）に達する光量を制御する方法であって、前記プレノプティックカメラが、カメラレンズ（４０１）及びレンズレットアレイ（１１）を含み、空間光変調器（４０）が、前記カメラレンズ（４０１）の開口紋り面に配置され、光センサグループ（５０１０）が、各マイクロレンズ（５０１）と関連しており、前記空間光変調器（４０）のセルグループ（７０３）が、前記光センサグループの各光センサと関連しており、前記セルグループの数が、あるマイクロレンズと関連している前記グループの前記光センサの数と等しく、前記方法が、前記セルグループから出射する光の強度を制御するために、前記セルグループの前記セルを制御することを含むことを特徴とする方法。
（付記１０）
前記セルの前記制御が、前記空間光変調器の少なくとも１つのセルの状態を制御することを含み、前記少なくとも１つのセルが、第１の状態と第２の状態との間で切り替わるように構成され、前記第１の状態が、前記少なくとも１つのセルが光をブロックする状態に対応し、前記第２の状態が、前記少なくとも１つのセルが光に前記少なくとも１つのセルを通過させる状態に対応する、付記９に記載の方法。
（付記１１）
前記セルグループにおける前記セルの少なくとも一部が、前記第１の状態である、付記１０に記載の方法。
（付記１２）
前記第１の状態である前記セルグループの前記セルの数が、前記開口紋り面における前記セルグループの位置に依存する、付記１１に記載の方法。
（付記１３）
前記空間光変調器（４０１）の中心に対して閉じられたセルグループにおける前記第１の状態の前記セルの数が、前記空間光変調器（４０１）の周辺におけるセルグループにおける前記第１の状態の前記セルの数より大きい、付記１０〜１２のいずれか一項に記載の方法。
（付記１４）
前記セルグループが、前記セルグループと関連している前記光センサの、前記開口紋り面上への投射をカバーする、付記９〜１３のいずれか一項に記載の方法。
（付記１５）
プログラムがコンピュータ上で実行される場合に、付記９〜１４のいずれか一項に記載の方法のステップを実行するためのプログラムコードの命令を含むコンピュータプログラム製品。